(57)【要約】【課題】本発明は、指などの生体に対するセンサヘッドでの測定位置や押圧力などの測定条件を一定として測定の再現性を高め、また、生体にセンサヘッドを固定する際の作業性を高めると共に経済性を高めることを目的とする。【解決手段】本発明は、指装着部品２１を、伸縮性部材による指サック形状を成し、指を入口から先端側へ差し込み指先が先端面に当接した状態で指装着部品２１の全体が指の外形に適合するように形成した。更に、指装着部品２１に、指装着時の血流測定に適した位置に内外面を貫通する開口２２を形成し、開口２２に血流計のセンサヘッド３１から突起した光入出力部３２を緩み無く差し込んで嵌合固定できるようにした。【選択図】図４
2009213535.tif 000002
【特許請求の範囲】
【請求項１】
指を差し込み当該指に装着可能な筒状の伸縮性部材から成り、所定位置に内外面を貫通するセンサ装着用の開口を有することを特徴とする指装着部品。
【請求項２】
前記伸縮性部材が、指の外形に適合する先端の閉じた袋状であることを特徴とする請求項１に記載の指装着部品。
【請求項３】
前記開口が、前記袋状の伸縮性部材への指装着時に、当該開口に装着されるセンサでの検出に適した位置となるように形成されていることを特徴とする請求項１又は２に記載の指装着部品。
【請求項４】
前記伸縮性部材が、パウダーフリーのゴム製であることを特徴とする請求項１から３に記載のいずれかの指装着部品。
【請求項５】
請求項１から４に記載のいずれかの指装着部品の開口に、血流計のセンサが装着されて当該血流計と一体とされた指装着部品を備えたことを特徴とする指装着部品を備えた血流計。
【請求項６】
前記センサが、血流測定のために光が入出力される光入出力窓の周囲に、前記開口の周縁と略同じ周縁寸法の環状のくびれ部を介して、当該くびれ部よりも周縁寸法が大きい環状の光入出力部を配設して成ることを特徴とする請求項５に記載の指装着部品を備えた血流計。
【請求項７】
前記開口に差し込まれた前記センサを前記指装着部品の外面に粘着テープで貼り付けて固定、及び、該センサを該指装着部品の外面に接着剤で貼り付けて固定する何れか一方の固定方法にて、又は双方の固定方法を併用して、該センサと該指装着部品とを固定することを特徴とする請求項５又は６に記載の指装着部品を備えた血流計。
【発明の詳細な説明】
【技術分野】
【０００１】
本発明は、人などの生体の血流量を測定する血流計のセンサヘッドを生体に適正に当接して保持する指装着部品及び指装着部品を備えた血流計に関する。
【背景技術】
【０００２】
従来、血流計で生体の血流量を測定する際の生体へのセンサヘッドの固定方法として、図１（ａ）〜（ｃ）に図示する方法が採られていた。（ａ）は、単にセンサヘッド１１の光入出力窓１２の部分を親指１３と人差指１４で挟んで固定する方法である。（ｂ）は、両面テープ１６でセンサヘッド１１の光入出力窓１２の部分を人差指１４に貼り付けて固定する方法である。（ｃ）は、粘着テープ（又は面ファスナー）１８でセンサヘッド１１の光入出力窓１２の部分を人差指１４に巻き付けて固定する方法である。
【０００３】
これらの固定法によってセンサヘッド１１の光入出力窓１２を人差指１４等の生体に密着させてから、センサヘッド１１内の図示せぬ光学センサによって血流計測が行われる。血流計測は、例えば、レーザドップラ法により次のように行われる。
【０００４】
即ち、センサヘッド１１には、生体組織に光を照射するレーザダイオード等の発光素子と、その照射によって生体組織から反射した散乱光を受光するフォトダイオード等の受光素子が内蔵されている。この発光素子での照射後に受光素子にて、静止した生体組織からの散乱光と、生体組織の毛細血管中を移動している赤血球（散乱粒子）からの散乱光（血流速度に応じてドップラーシフトΔｆを受けた散乱光）との干渉光を検出（ヘテロダイン検波）し、この検出信号をセンサヘッド１１の信号線９を介して図示せぬ血流計本体部へ出力することにより本体部で信号処理を行って、血流量、血液量、血液速度、脈拍を計測するようになっている。
【０００５】
この種の従来の生体へのセンサヘッドの固定方法として、非特許文献１及び２に示す方法がある。非特許文献１は、両面テープでセンサヘッドを生体に貼り付ける方法、非特許文献２は粘着テープでセンサヘッドを生体に巻き付ける方法である。
【０００６】
【非特許文献１】レーザー血流計オメガフロー用プローブ、両面テープＢＦ−８、両面テープ型、［平成２０年２月２６日検索］、インターネット＜ＵＲＬ：ｈｔｔｐ：／／ｗｗｗ．ｏｍｅｇａｗａｖｅ．ｃｏ．ｊｐ  ｊ−ｎｅｗｐｒｏｂｅ．ｈｔｍｌ＞
【非特許文献２】ＣｙｂｅｒＭｅｄレーザー血流計［装着方法］、ＬＩＢＭＥＣＨリブメック、ＳＮＣＲ（貼付けタイプ）、粘着テープで巻き付ける型、［平成２０年２月２６日検索］、インターネット＜ＵＲＬ：ｈｔｔｐ：／／ｗｗｗ．ｌｉｂｍｅｃｈ．ｃｏ．ｊｐ／ｐｒｏｄｕｃｔ／ｍｅｄｉｃａｌ／ｃｙｂｅｒｍｅｄ／ｈｏｗｔｏｕｓｅ．ｈｔｍｌ＞
【発明の開示】
【発明が解決しようとする課題】
【０００７】
しかし、上述した生体へのセンサヘッド１１の各種固定方法では次のような課題がある。図１（ａ）の固定方法のように、単にセンサヘッド１１を親指１３と人差指１４で挟む場合は、その挟む位置が一定とならず、また体動による僅かの力でセンサヘッド１１がずれるので、生体の測定位置の再現性が低く、センサヘッド１１の生体への押圧力の再現性も低い。
【０００８】
図１（ｂ）又は非特許文献１の固定方法のように、両面テープ１６でセンサヘッド１１を生体に貼り付ける場合は、貼り付ける位置が一定とならず、また体動による僅かの力でセンサヘッド１１がずれるので、生体の測定位置の再現性が低い。また、両面テープ１６は消耗品であるため消耗の都度取り替えなければならず不経済であると共に、両面テープ１６の貼り替えが面倒でありその作業性が良くなかった。
【０００９】
図１（ｃ）又は非特許文献２の固定方法のように、粘着テープ（又は面ファスナー）１８でセンサヘッド１１を生体に巻き付ける場合は、巻き付ける位置が一定とならないので、生体の測定位置の再現性が低く、センサヘッド１１の生体への押圧力の再現性も低い。また、粘着テープ１８は消耗品であるため消耗の都度取り替えなければならず不経済であると共に、粘着テープ１８の巻き付けが面倒でありその作業性が良くなかった。
【００１０】
つまり、何れの固定方法においても、生体に対する測定位置や押圧力などの測定条件が一定とならず、測定の再現性が低かった。また、両面テープ１６や粘着テープ１８は、交換時期が早い消耗品のため不経済であり、貼り付けや巻き付けの作業性が良くなかった。
【００１１】
前記課題を解決するために、本発明は、指などの生体に対するセンサヘッドでの測定位置や押圧力などの測定条件を一定として測定の再現性を高め、また、生体にセンサヘッドを固定する際の作業性を高めると共に経済性を高めることを目的とする。
【課題を解決するための手段】
【００１２】
上記目的を達成するために、発明者らは、指装着部品を、筒状の伸縮性部材を用い、指をその入口から先端側へ差し込み指先が先端に位置した状態で全体が指の外形に適合するように形成した。更に、指装着部品に、指装着時の血流測定に適した位置に内外面を貫通する開口を形成し、この開口に血流計のセンサから突起した光入出力部を緩み無く差し込んで嵌合固定できるようにした。
【００１３】
具体的には、指を差し込み当該指に装着可能な筒状の伸縮性部材から成り、所定位置に内外面を貫通するセンサ装着用の開口を有することを特徴とする指装着部品である。
【００１４】
この構成によれば、指装着部品の開口に血流測定を行う血流計のセンサを差し込んで装着すれば、センサを指装着部品と一体することができる。これによって、血流測定時に、指に指装着部品を装着すれば、当該指装着部品自体が伸縮性部材で形成されているのでその弾力性で、必然的に、センサが指に当接して血流測定可能状態となる。従って、血流測定時の作業性が高まる。
【００１５】
本発明の指装着部品は、前記伸縮性部材が、指の外形に適合する先端の閉じた袋状であることが望ましい。
【００１６】
この構成によれば、指装着部品が袋状なので、指を入口から先端側へ差し込み指先が先端面に当接した状態で指に当該指装着部品を適合させて装着すれば、血流測定の都度、指を同じ状態に装着可能となるので、測定位置の再現性を高めることができる。また、指装着部品は伸縮性部材によって形成されているので、指装着時に、指装着部品の弾力によってセンサが、その弾力で決まる適度な押圧力で指の表面に当接することになる。これによって、測定時の指に対するセンサ当接部分の押圧力を一定とする再現性を高めることができる。
【００１７】
本発明の指装着部品は、前記開口が、前記袋状の伸縮性部材への指装着時に、当該開口に装着されるセンサでの検出に適した位置となるように形成されていることが望ましい。
【００１８】
この構成によれば、血流計のセンサが開口に装着された袋状の指装着部品に、指を指先が先端面に当接するように装着すれば、必然的にセンサが指の血流測定に適した位置に当接されるので、作業性並びに測定位置の再現性を高めることができる。
【００１９】
本発明の指装着部品は、前記伸縮性部材が、パウダーフリーのゴム製であることが望ましい。
【００２０】
この構成によれば、指装着部品がパウダーフリーのため、粘着を防止して指に装着し易くなり、また粉による測定への悪影響を無くすことができる。
【００２１】
更に、具体的には、前述したいずれかの指装着部品の開口に、血流計のセンサが装着されて当該血流計と一体とされた指装着部品を備えたことを特徴とする指装着部品を備えた血流計である。
【００２２】
この構成によれば、血流計のセンサには指装着部品が装着されているので、血流測定時に指に指装着部品を装着すれば、必然的にセンサが指に当接して血流測定可能状態となる。従って、血流測定時の作業性が高まる。
【００２３】
本発明の指装着部品を備えた血流計は、前記センサは、血流測定のために光が入出力される光入出力窓の周囲に、前記開口の周縁と略同じ周縁寸法の環状のくびれ部を介して、当該くびれ部よりも周縁寸法が大きい環状の光入出力部を配設して成ることが望ましい。
【００２４】
この構成によれば、光入出力部を指装着部品の開口に差し込むだけで、くびれ部が開口に緩み無く嵌合した状態となるので、簡単に、センサを指装着部品から容易に抜けないように一体に組み合わせて固定することができる。この際、指装着部品が伸縮性部材であることも手伝ってより強固に固定されることとなる。更に、光入出力窓の周囲に環状に突出して光入出力部が有るので、血流測定中に光入出力窓から外光が侵入するのを防止することができる。
【００２５】
本発明の指装着部品を備えた血流計は、前記開口に差し込まれた前記センサを前記指装着部品の外面に粘着テープで貼り付けて固定、及び、該センサを該指装着部品の外面に接着剤で貼り付けて固定する何れか一方の固定方法にて、又は双方の固定方法を併用して、該センサと該指装着部品とを固定することが望ましい。
この構成によれば、センサを指装着部品により強固に固定することができる。
【発明の効果】
【００２６】
本発明によれば、指などの生体に対するセンサヘッドでの測定位置や押圧力などの測定条件を一定として測定の再現性を高め、また、生体にセンサヘッドを固定する際の作業性を高めると共に経済性を高める指装着部品及び指装着部品を備えた血流計を提供することができる。
【発明を実施するための最良の形態】
【００２７】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２８】
図２は、本発明の実施形態に係る指装着部品の構成を示し、（ａ）は指装着部品の平面図、（ｂ）は（ａ）に示す指装着部品のＡ１−Ａ２断面図である。この図２に示すように、本実施形態の指装着部品２１は、伸縮性部材により形成された指サック形状を成し、所定位置に内外面を貫通する円形の開口２２を有して構成されている。
【００２９】
指装着部品２１の形成材料としては、天然ゴム製でパウダーフリーのものが好適である。パウダーフリーとするのは、粘着を防止して指に装着し易くし、また粉による測定への悪影響を無くすためである。
【００３０】
指装着部品２１の長さは、指を入口から先端側へ差し込んだ際に指先が先端面に当接し、この際、入口側の縁が指付け根までで届かない長さとした。入口の縁側が指付け根で撓む長さの場合、指装着部品２１に指を差し込んで装着した際に、その撓みは伸縮性部材のものなので弾力で指装着部品２１が指先方向へ押し出されることがある。この場合、指を指装着部品２１に対して一定状態に装着できなくなるからである。なお、指装着部品２１の長さは、例えば平均的な日本人の人差指の第２関節、又は第２と第３関節の間くらいまでを覆うサイズとされている。
【００３１】
指装着部品２１の内径は、指装着時に伸縮して指の外形にフィットするサイズとされている。
開口２２は、その人差指１４に指装着部品２１を装着した際に、開口２２が血流測定に適した位置（所定位置）となるように形成されている。例えば、開口２２は、人差指１４への装着時に第1関節又はその前後当たりに位置するように形成される。また、開口２２の大きさは、図３に示すセンサヘッド３１から突起した光入出力部３２が、図４に示すように、緩み無く嵌合できるサイズとされている。
【００３２】
但し、図３は血流計のセンサヘッド３１の構成を示し、（ａ）は光入出力部３２の側から見た平面図、（ｂ）は側面図である。図４（ａ）はセンサヘッド３１を固定した指装着部品２１の平面図、（ｂ）は（ａ）に示すセンサヘッド３１及び指装着部品２１のＢ１−Ｂ２断面図、（ｃ）は指装着部品２１に人差指１４を差し込んで装着した際の様態図である。
【００３３】
図３に示すように、センサヘッド３１は、幅Ｌ１＝５ｍｍ、長さＬ２＝１５ｍｍ、厚さＬ３＝３ｍｍ程度の樹脂成型材で形成された小型・軽量の箇体で成り、信号線３３を介して図示せぬ血流計本体に接続されている。
【００３４】
また、センサヘッド３１の長手方向の先端部分内部には、生体組織に光を照射する発光素子としてのＬＤ（レーザダイオード）３４と、その照射により生体組織から反射した散乱光を受光する受光素子としてのＰＤ（フォトダイオード）３５とが内蔵されている。更には図示はしないが、そのＬＤ３４の駆動回路及びＰＤ３５での受光信号の増幅回路などを収容している。
【００３５】
ＬＤ３４及びＰＤ３５の光の照射及び受光面には、円形の光入出力窓３６が形成されており、この光入出力窓３６の周囲にリング状のくびれ部３７を介してそれよりやや大きいリング状の光入出力部３２が、カメラレンズの突起したフード状に配設されている。
【００３６】
このフード状の光入出力部３２は、血流測定中に光入出力窓３６から外光が侵入するのを防止すると共に、図４（ａ）及び（ｂ）に示すように、指装着部品２１の開口２２に差し込んでセンサヘッド３１を当該指装着部品２１に一体に組み合わせるために設けてある。
【００３７】
つまり、光入出力部３２を開口２２に差し込むと、くびれ部３７が開口２２に緩み無く嵌合した状態となるので、センサヘッド３１が指装着部品２１から容易に抜けないように一体に組み合わされる。更には、指装着部品２１が伸縮するゴム製であることも手伝ってより強固に組み合わされることとなる。
【００３８】
このような指装着部品２１を備えた血流計で血流測定を行う場合、図４（ｃ）に示すように、指装着部品２１に例えば人差指１４を指先が指装着部品２１の内部先端面に当接する位置まで差し込んで装着する。これによって、センサヘッド３１の光入出力部３２が必然的に人差指１４の血流測定に最適な位置（所定位置）に当接して保持されるので、この状態で血流測定を行えばよい。
【００３９】
この血流測定には周知のレーザドップラ方式を用い、センサヘッド３１のＬＤ３４から人差指１４の生体組織に光を照射し、更に生体組織から反射した散乱光をＰＤ３５で受光する。つまり、この受光によって、静止した人差指１４の生体組織からの散乱光と、生体組織の毛細血管中を移動している赤血球（散乱粒子）からの散乱光（血流速度に応じてドップラーシフトΔｆを受けた散乱光）との干渉光がヘテロダイン検波により検出され、この検出信号がセンサヘッド３１の信号線３３を介して図示せぬ血流計本体部へ出力される。本体部では検出信号の処理が行われて血流量、血液量、血液速度、脈拍が計測される。
【００４０】
このような本実施形態の指装着部品２１を用いた場合の血流測定の効果を確認するため、従来方法での血流測定との比較実験を行った。この結果を図５に示す。
【００４１】
図５（ａ）に示す従来方法におけるセンサヘッドの固定方法（１）は、前述した親指と人差指でセンサヘッドを軽く挾む方法であるとし、毎回の測定部位を極力同じとするために、センサヘッドの位置を目分量で大体同じ位置とした。例えば１ｍｍ以内の誤差である。（ｂ）に示す本実施形態の固定方法（１）は、センサヘッド３１を一体に組み合わせて固定した指装着部品２１を用いる方法である。
【００４２】
また、（ａ）に示す従来方法、（ｂ）に示す本実施形態方法ともに、（２）に示す測定部位は人差指の腹部分であり、（３）に示す血流値の測定プロトコルは２分間安静後、１０秒間の平均値とし、（４）に示す測定回数はセンサヘッドの着脱を１０回繰り返し、測定値のばらつきを標準偏差で評価した。この結果、センサヘッド３１を固定した指装着部品２１を使用すると、（５）の測定結果に示すように、測定値ばらつきを示す標準偏差が従来方法の９．１％に比べて本実施形態方法では５．３％と小さくなり、血流測定の再現性の改善が確認できた。
【００４３】
次に、体動に対する本実施形態の抑制効果を実験確認した。この実験では、本実施形態によるセンサヘッド３１を固定した指装着部品２１を人差指１４に装着した状態で、２分間安静後、卵を握るような自然な手の形から、ジャンケンのパー、グーを約１０秒間隔で連続して３回繰り返し、自然な手の形に戻すという体動を与え、血流量の推移を測定した。血流量は約１０秒間の血流平均値とした。
【００４４】
この測定結果を図６に示す。図６は体動に対する時間（秒）ごとの血流量を表す図であり、縦軸に血流量、横軸に測定の時間（秒）をとった。この図に示すように、指装着部品２１を使用した場合、Ｅ１で示すグラフ部分のように、自然な手の形の血流量７２．６から、Ｅ２〜Ｅ７で示すパー、グーの体動を繰り返した後の約６０秒後（Ｅ８で示すグラフ部分）に、血流量は７２．２とほぼ元に戻る。
【００４５】
また、Ｅ２，Ｅ４，Ｅ６で示すグラフ部分のように、パーの時の血流量は８９．１〜９２．１と±１．５以内で再現し、Ｅ３，Ｅ５，Ｅ７で示すグラフ部分のように、グーの時の血流量は５７．５〜６１．７と±２．１以内で再現することが確認された。この結果は、体動によってもセンサヘッド３１のずれなどが生じることなく、人差指１４に対して常に一定の押圧、一定の測定箇所が維持されていたことを表すものである。
【００４６】
このように本実施形態の指装着部品２１は、伸縮性部材による指サック形状を成し、指を入口から先端側へ差し込み指先が先端面に当接した状態で指装着部品２１の全体が指の外形に適合するように形成した。更に、指装着部品２１に、指装着時の血流測定に適した位置に内外面を貫通する開口２２を形成し、開口２２に血流計のセンサヘッド３１から突起した光入出力部３２を緩み無く差し込んで嵌合固定できるようにした。
【００４７】
従って、血流測定の都度、センサヘッド３１が固定された指装着部品２１に、指を指先が先端面に当接する同じ状態に差し込んで装着すれば、必然的に、センサヘッド３１の光入出力部３２が人差指１４の血流測定に適した位置に当接して保持されるので、測定位置の再現性を高めることができる。
【００４８】
また、指装着部品２１は伸縮性部材によって形成されているので、指装着時に、指装着部品２１の弾力によってセンサヘッド３１の光入出力部３２が、必然的に、その弾力で決まる適度な押圧力で生体表面に当接することになる。これによって、測定時の生体に対するセンサ当接部分の押圧力を一定とする再現性を高めることができ、また、体動によりセンサヘッドがずれにくいという利点がある。
【００４９】
また、指装着部品２１を、パウダーフリーの天然ゴムで形成するのが好ましい。この場合、パウダーフリーのため、粘着を防止して指に装着し易くなり、また粉による測定への悪影響を無くすことができる。更に、ゴム製であることにより破れるまで繰返し使用可能など一定の耐久性があり消耗品として使用の度に廃棄する必要が無くなる。
【００５０】
また、天然ゴム製の場合、伸縮性に優れているのである程度個人差を吸収できるが、被験者の指の大きさに合わせて指サックのサイズをいくつか用意するとさらに個人差を吸収することができる。
【００５１】
更に、指装着部品２１に指を差し込むだけなので、生体にセンサヘッド３１を固定する際の作業性を高めることができる。更には、指装着部品２１は、ゴム製なので耐久性に優れており、このため消耗交換が少なくなって経済性を高めることができる。
【００５２】
また、センサヘッド３１の光入出力窓３６の周囲にくびれ部３７を介して光入出力部３２をカメラレンズの突起したフード状に配設した。この構造によって、光入出力部３２を指装着部品２１の開口２２に差し込むだけで、くびれ部３７が開口２２に緩み無く嵌合した状態となるので、簡単に、センサヘッド３１を指装着部品２１から容易に抜けないように一体に組み合わせることができる。この際、指装着部品２１が伸縮するゴム製であることも手伝ってより強固に組み合わされることとなる。更には、光入出力窓３６の周囲に突出してフード状の光入出力部３２が有るので、血流測定中に光入出力窓３６から外光が侵入するのを防止することができる。
【００５３】
この他、図７に示すように、センサヘッド３１を指装着部品２１により強固に固定する目的で、例えば粘着テープ４１で指装着部品２１とセンサヘッド３１を固定しても良い。更に、別の固定方法として、図示はしないが指装着部品２１とセンサヘッド３１の接触部を接着剤で固着しても良く、更には、接着剤と粘着テープ４１の両者を併用しても良い。
【００５４】
更に、本実施形態は、指装着部品２１が指サック形状であることを前提として説明したが、指サックのように先端が閉じた袋状でなくても、先端が開口した円筒形状で、この径が指を差し込む根元から先端へ向かって細くなり、尚且つ先端の開口が指を差し込み押し込んでも指先が僅かに突き出る程度の大きさとされた形状としてもよい。この形状の場合も、指サック形状のものと同様な効果を奏すことが可能となる。
【産業上の利用可能性】
【００５５】
本発明の指装着部品及び指装着部品を備えた血流計は、健康維持や美容などを目的とし、生体に危害を与えることなく、簡易にかつ正確に血流量を測定すること等に適用することができる。
【図面の簡単な説明】
【００５６】
【図１】従来の血流測定時の生体へのセンサヘッドの固定方法を表し、（ａ）はセンサヘッドの光入出力窓部分を親指と人差指で挟んだ際の様態図、（ｂ）は両面テープで光入出力窓部分を人差指に貼り付けた際の様態図、（ｃ）は粘着テープで光入出力窓部分を人差指に巻き付けた際の様態図である。
【図２】本発明の実施形態に係る指装着部品の構成を示し、（ａ）は指装着部品の平面図、（ｂ）は（ａ）に示す指装着部品のＡ１−Ａ２断面図である。
【図３】血流計のセンサヘッドの構成を示し、（ａ）は光入出力部の側から見た平面図、（ｂ）は側面図である。
【図４】（ａ）はセンサヘッドを固定した指装着部品の平面図、（ｂ）は（ａ）に示すセンサヘッド及び指装着部品のＢ１−Ｂ２断面図、（ｃ）は指装着部品に人差指を差し込んで装着した際の様態図である。
【図５】本実施形態と従来の固定方法の血流測定の比較実験結果を示す図である。
【図６】本実施形態の指装着部品を用いた体動による抑制効果の実験結果を示し、体動に対する時間（秒）ごとの血流量を表す図である。
【図７】本実施形態の指装着部品とセンサヘッドを粘着テープで固定した際の様態図である。
【符号の説明】
【００５７】
９，３３：信号線
１１，３１：センサヘッド
１２，３６：光入出力窓
１３：親指
１４：人差指
１６：両面テープ
１８，４１：粘着テープ
２１：指装着部品
２２：開口
３２：光入出力部
３４：ＬＤ
３５：ＰＤ
３７：くびれ部
【図１】
2009213535.tif 000003
【図２】
2009213535.tif 000004
【図３】
2009213535.tif 000005
【図４】
2009213535.tif 000006
【図５】
2009213535.tif 000007
【図６】
2009213535.tif 000008
【図７】
2009213535.tif 000009